(57)【要約】  本発明は、胃十二指腸内のヘリコバクター・ピロリ菌を検出及び診断するための尿素呼気検査に基づいた方法と、この方法を実施するためのキットとを提供する。本方法は、個体または患者から第１基礎呼気試料を採取し、この個体に炭素標識尿素溶液を与え、その直後の新規の独立工程において、口腔から残留尿素を除去するための十分な量の水を個体に与え、５分以上経過してから第２呼気試料を採取することを含む。【選択図】なし【特許請求の範囲】
【請求項１】
呼気検査に基づき病原微生物を検出する方法であって、
Ａ．個体の第１基礎呼気試料を採取し、
Ｂ．第１基礎呼気試料を採取したらすぐに、個体に炭素で標識した尿素溶液を経口で与え、
Ｃ．炭素で標識した尿素溶液を与えたらすぐに、個体に十分な量の水を経口で与え、
Ｄ．水を与えてから所定の時間が経過した後に、第２呼気試料を採取し、
Ｅ．第１呼気試料及び第２呼気試料内に存在する炭素標識の量を測定及び分析することを含む
ことを特徴とする病原微生物の検出方法。
【請求項２】
十分な量の水が１００〜２５０ｍｌである
請求項１に記載の方法。
【請求項３】
炭素で標識した尿素溶液が１５〜５０ｍｌであり、炭素で標識した尿素が１５〜５０ｍｇであり、尿素を標識する炭素が炭素１３である
請求項１に記載の方法。
【請求項４】
第２呼気試料が、個体に十分な量の水を与えてから４分５９秒を越える時間が経過してから採取されるものである
請求項１に記載の方法。
【請求項５】
病原微生物がヘリコバクター・ピロリ菌である
請求項１に記載の方法。
【請求項６】
呼気検査により病原微生物を検出するキットであって、
（ａ）水を入れた容器と、
（ｂ）炭素標識尿素を入れた容器と、
（ｃ）呼気検査開始時の炭素標識尿素を摂取する前に、第１呼気試料を採取するための第１容器と、
（ｄ）呼気検査の最後の十分な量の水を摂取した後に、第２呼気試料を採取するための第２容器とを備え、
第１容器及び第２容器が、針状のセンサの導入が可能な機構を備えたキャップを有している
ことを特徴とする病原微生物の検出キット。
【請求項７】
炭素標識尿素を入れた容器が１５〜５０ｍｇの炭素標識尿素を収容し、炭素標識尿素が水に溶解させてあり、炭素標識尿素を溶解させるための水の量が１５〜５０ｍｌである
請求項６に記載のキット。
【請求項８】
炭素標識尿素が炭素１３で標識されている
請求項６に記載のキット。
【請求項９】
水を入れた容器が２００〜２５０ｍｌの水を収容する
請求項６に記載のキット。
【請求項１０】
第１呼気試料及び第２呼気試料を第１容器及び第２容器にそれぞれ採取するための一対の手段を備える
請求項６に記載のキット。
【請求項１１】
第１呼気試料及び第２呼気試料を採取するための手段が一対のストローである
請求項１０に記載のキット。
【請求項１２】
水を入れた容器と、炭素標識尿素を入れた容器と、第１容器と、第２容器と、一対のストローとがカートリッジ内に収容されている
請求項１１に記載のキット。
【請求項１３】
病原微生物がヘリコバクター・ピロリ菌である
請求項１０に記載のキット。
【発明の詳細な説明】
【技術分野】
【０００１】
本発明は、病原微生物を検出するため、呼気試料の採取及び分析の方法に関する。具体的には、本発明は、呼気試料の採取に基づいた方法と、胃十二指腸内のヘリコバクター・ピロリ菌（Ｈｅｌｉｃｏｂａｃｔｅｒ  ｐｙｌｏｒｉ）の検出及び診断を目的として前述の採取を実行するためのキットとを提供する。
【背景技術】
【０００２】
ヘリコバクター・ピロリ菌は、主に胃十二指腸疾患、例えば胃潰瘍、十二指腸潰瘍、消化障害、胃原発非ホジキンリンパ腫、胃癌と関連づけられている。更に、消化管におけるヘリコバクター・ピロリ菌の存在は、その他の疾患、例えば慢性蕁麻疹、鉄欠乏性貧血、特発性血小板減少性紫斑病等にも関連づけられている。ヘリコバクター・ピロリ菌と関連づけられる疾患の数は増え続ける一方である。
【０００３】
尿素呼気検査は、ヘリコバクター・ピロリ菌の診断にあたって信頼性が高い方法である。
しかしながら、尿素呼気検査に関して現在ゴールドスタンダードであるプロトコルでは、クエン酸溶液の摂取が必要とされる（特許文献１）。加えて、このプロトコルでは、残留尿素と口腔内に定着している微生物のウレアーゼ活性により偽陰性となる場合がある。尿素呼気検査でのクエン酸溶液の摂取は、この溶液によって胃内容の排出に遅れが生じることから、ある程度容認されている。しかしながら、胃内容排出の遅れはクエン酸溶液の摂取と関係ないことが判明している（非特許文献１）。更に、尿素呼気検査中にクエン酸溶液を摂取する患者は、検査前には制酸薬を飲むのを一時的にやめなくてはいけないことや、酸性のものを飲むと症状が一層悪化するとの無理からぬ考えから、胃十二指腸の症状の悪化を恐れてクエン酸溶液の摂取を嫌がる。更に、多量のクエン酸の摂取は、特に小児の場合、悪心や嘔吐を引き起こす場合がある。クエン酸溶液の量の多さや味の悪さも患者に不評である。更に、クエン酸アレルギーの患者は、現在のゴールドスタンダードである尿素呼気検査を受けることができない。
【先行技術文献】
【特許文献】
【０００４】
【特許文献１】Ｄｅ  Ｂｅｎｇｏａ  Ｖａｌｌｅｊｏ，Ａ．の米国特許第６１７１８１１  Ｂ１
【非特許文献】
【０００５】
【非特許文献１】Ｓｈｉｏｔａｎｉ，Ａ．Ｓ．ｅｔ  ａｌ．，Ａｌｉｍｅｎｔ  Ｐｈａｒｍａｃｏｌ．Ｔｈｅｒ．，１５：１７６３−１７６７，２００１
【発明の概要】
【発明が解決しようとする課題】
【０００６】
本発明は、クエン酸溶液を必要とせず、かつ口腔内の残留尿素の存在も克服する尿素呼気検査に基づいた方法を提供する。本発明の方法は、患者が検査後数分で帰宅できる、副作用または胃疾患の症状の悪化を伴うことのないプロトコルを提供する。加えて、本発明の方法は、クエン酸溶液の摂取を必要とする現行の尿素呼気検査プロトコルと同程度またはそれ以上の信頼性があるものとする。
【０００７】
本発明は、尿素呼気試料を採取するための簡単で信頼性の高い方法を提供する。尿素呼気試料を簡単に信頼性高く採取することにより、ヘリコバクター・ピロリ菌と、増え続ける関与が疑われる疾患とを検証するための大規模な疫学的調査が円滑に進む。
【課題を解決するための手段】
【０００８】
本発明は、胃十二指腸内のヘリコバクター・ピロリ菌を検出及び診断するための尿素呼気検査に基づいた方法と、この方法を実行するためのキットとを提供する。
【０００９】
本方法は、個体または患者から第１基礎呼気試料を採取し、この個体に炭素標識尿素溶液を与え、その直後の新規の独立工程において、口腔から残留尿素を除去するための十分な量の水を個体に与え、５分以上経過してから第２呼気試料を採取することを含む。
【００１０】
個体に十分な量の水を与えるこの独立工程には、口腔から残留している炭素標識尿素を除去し、胃腔を最適な水溶液環境にすることで炭素標識尿素を迅速に拡散させて胃内のヘリコバクター・ピロリ菌のウレアーゼで迅速に分解させるという２つの目的があり、これにより結果が偽陽性となる可能性が排除される。
【００１１】
本発明の目的及び更なる利点は、図表の説明、本発明の詳細な説明及び請求項からより明白となる。
【図面の簡単な説明】
【００１２】
【図１】本発明の方法を実行するためのキット及びその構成要素を示す。
【図２】グラフ１：プロトコルＩ及びＩＩについての１０分、２０分、３０分でのＲＯＣ曲線の比較（Ｌａｂｏｒａｔｏｒｉｏ  Ｃｌｉｎｉｃｏ  Ｈｅｍａｔｏｌｏｇｉｃｏ  Ｓ．Ａ．、メデリン、２００６）。
【図３】グラフ２：プロトコルＩ及びＩＩでヘリコバクター・ピロリ菌陽性（ｐｏｓｉｔｉｖｏ）及び陰性（ｎｅｇａｔｉｖｏ）の個体の１０分、２０分、３０分でのＤＯＢ（Ｌａｂｏｒａｔｏｒｉｏ  Ｃｌｉｎｉｃｏ  Ｈｅｍａｔｏｌｏｇｉｃｏ  Ｓ．Ａ．、メデリン、２００６）
【発明を実施するための形態】
【００１３】
本発明の目的は、呼気検査に基づいて病原微生物を検出する方法を提供することであり、本方法は、
Ａ．個体の第１基礎呼気試料を採取し、
Ｂ．第１基礎呼気試料を採取したらすぐに、個体に炭素で標識した尿素溶液を経口で与え、
Ｃ．炭素で標識した尿素溶液を与えたらすぐに、個体に十分な量の水を経口で与え、
Ｄ．十分な量の水を与えてから所定の時間が経過した後に、第２呼気試料を採取し、
Ｅ．第１呼気試料及び第２呼気試料内に存在する炭素標識の量を測定及び分析することを含み、
検出または診断対象とする上記の病原微生物にヘリコバクター・ピロリ菌を用いることを特徴とする。
【００１４】
本発明方法のある好ましい態様において、十分な量の水とは、１００〜２５０ｍｌである。本発明方法のこの態様の最も好ましい実施形態において、十分な量の水は２００ｍｌである。
【００１５】
個体に十分な量の単なる水をタイミング良く与える（個体に炭素標識尿素溶液を与えた直後）新規で独立した工程により、口腔から残留している炭素標識尿素が除去され、この結果、口腔内に定着している微生物のウレアーゼのせいで偽陽性となる可能性が排除される。加えて、十分な量の水は、一旦胃腔に入ると、胃内で最適な水溶液となって炭素標識尿素が胃内に均一に分散するため、ヘリコバクター・ピロリ菌のウレアーゼによる炭素標識尿素の迅速な加水分解が行われる。
【００１６】
本発明方法のその他の好ましい態様において、炭素で標識した尿素溶液は１５〜５０ｍｌであり、炭素で標識した尿素は１５〜５０ｍｇであり、尿素を標識する炭素は炭素１３である。尿素溶液及び炭素で標識した尿素の両方についての上記範囲内での具体的な量は、呼気試料を採取する個体の体重に従って求める。小児の場合は上記の範囲の下限側の量を必要とし、成人の場合は上記の範囲の上限側の量を必要とする。
【００１７】
炭素１３で標識した尿素は、好ましくは粉末の形態であり、広く市販されているものが利用できる。
【００１８】
本発明の目的上、個体を、その消化管におけるヘリコバクター・ピロリ菌の存在について検査する患者または人々と定義できる。
【００１９】
本発明方法の更に別の態様において、第２呼気試料は、個体に十分な量の水を与えてから４分５９秒を越える時間が経過してから採取される。本発明方法のこの態様の最も好ましい実施形態において、第２呼気試料は、十分な量の水を個体に与えてから１０分後に採取される。
【００２０】
本発明の第２の目的は、呼気検査により病原微生物を検出するためのキット（図１）を提供することであり、このキットは、
（ａ）水を入れた容器（１）（図１）と、
（ｂ）炭素標識尿素を入れた容器（２）と、
（ｃ）呼気検査開始時の炭素標識尿素を摂取する前に第１呼気試料を採取するための第１容器（３）と、
（ｄ）呼気検査の最後の十分な量の水を摂取した後に第２呼気試料を採取するための第２容器（４）とを備え、
第１容器及び第２容器は、針状のセンサの導入が可能な機構を備えたキャップ（３Ａ及び４Ａ）を有し、検出または診断対象の病原微生物にヘリコバクター・ピロリ菌を用いることを特徴とする。
【００２１】
適切に区別をつけた第１容器及び第２容器にそれぞれ採取された第１試料及び第２試料を、ガスクロマトグラフィ及びガス分光計により分析して炭素１３の量を求める。
【００２２】
本発明キットのある態様において、炭素標識尿素を入れた容器は１５〜５０ｍｇの炭素標識尿素を収容し、炭素標識尿素は水に溶解させてあり、炭素標識尿素を溶解させるための水の量は１５〜５０ｍｌであり、尿素を標識する炭素は炭素１３である。最も好ましい実施形態において、炭素標識尿素の量は５０ｍｇである。
【００２３】
本発明キットの別の好ましい態様において、水を入れた容器は、２００〜２５０ｍｌの水を収容する。本発明キットのこの態様の最も好ましい実施形態において、十分な量の水は２００ｍｌである。
【００２４】
本発明キットの更に別の態様において、キットは、第１呼気試料及び第２呼気試料を第１容器及び第２容器に採取するための一対の手段を備えている。本発明キットのこの態様の好ましい実施形態において、第１呼気試料及び第２呼気試料を第１容器及び第２容器に採取するための手段は、一対のストロー（６）である。
【００２５】
本発明の目的上、容器は、気密封止可能な全ての入れ物として定義される。本発明の好ましい実施形態において、容器は、筒状の入れ物である。
【００２６】
本発明のキットのもう１つの態様において、カートリッジ（７）は、水を入れた容器と、炭素標識尿素を入れた容器と、第１容器と、第２容器と、一対のストローとを収容する。
【００２７】
本明細書では本発明の好ましい実施形態を例示するが、請求項に含まれる基本的な概念及び趣旨から逸脱することなく、部品の形態や配置に更なる変更を加えることが可能である。
【実施例】
【００２８】
材料及び方法；
患者：調査集団は、胃腸に症候が見られない７０人の健康な志願者から構成された。ヘルシンキ宣言及びコロンビア保健省の１９９３年の決議８４３０に従って、研究は、生物学的、生理学的、心理学的または社会的リスクがない研究と分類される。
【００２９】
炭素標識尿素呼気検査；
プロトコル１：少なくとも８時間の絶食後、第１基礎呼気試料を採取した（ｔ0 ）。その直後に、患者に、１５ｍｌの水に溶解させた５０ｍｇの13Ｃ標識尿素を１杯の飲料として経口投与した。その直後に、患者に、２００ｍｌの水を経口投与した。次に、１０分後（ｔ10）、２０分後（ｔ20）、３０分後（ｔ30）に、呼気試料を採取した。
【００３０】
プロトコル２：少なくとも８時間の絶食後、第１基礎呼気試料を採取した（ｔ0）。その直後に、患者に、１５ｍｌの水に溶解させた５０ｍｇの13Ｃ標識尿素を１杯の飲料として経口投与した。その直後に、患者に、４．２ｇの無水クエン酸を含む２００ｍｌの水を与えた。次に、１０分後（ｔ10）、２０分後（ｔ20）、３０分後（ｔ30）に、呼気試料を採取した。
【００３１】
基準となる標準プロトコル：コロンビアの環境に合わせて標準化したヨーロッパ・プロトコルを、１００％に近い敏感度及び特異度であると広く検証された基準プロトコルとして用いた。侵襲的な検査、例えば生検、培養、内視鏡検査を行うのは倫理的ではないと見なされた。基準プロトコルは、以下のようにして行われた。少なくとも８時間の絶食後、１００ｍｌの水に溶解させた４．２のクエン酸を患者に与えた。１０分後、基礎呼気試料を２本採取した（ｔ0 ）。その直後に、３０ｍｌの水に溶解させた１００ｍｇの13Ｃ標識尿素を患者に与えた。次に、３０分後、尿素摂取後の呼気試料を２本採取した。
【００３２】
ヘリコバクター・ピロリ菌への感染の定義：ヘリコバクター・ピロリ菌への感染状況は、基準プロトコルに従って市販のキット（ＴＡＵ−ＫＩＴ（登録商標）、ｉｓｏｍｅｄ  Ｓ．Ｌ．社、マドリッド、スペイン）を用いた13Ｃ標識尿素呼気検査によって定義した。試料の分析は、Ｌａｂｏｒａｔｏｒｉｏ  Ｃｌｉｎｉｃｏ  Ｈｅｍａｔｏｌｏｇｉｃｏ  Ｓ．Ａ．（メデリン、コロンビア）で分光計（ＡＢＣＡ、Ｅｕｒｏｐａ  Ｓｃｉｅｎｔｉｆｉｃ社、チェシャー、英国）を用いて、この検査について国際的に検証された判定基準に従って行われた。陽性の結果とは、13Ｃ標識尿素呼気検査の値が２．５13ＣＯ2 デルタ（δ13ＣＯ2 ）以上であった。結果は、ＤＯＢ（ｄｅｌｔａ  ｏｖｅｒ  ｂａｓｅｌｉｎｅ）として表された。各プロトコルについてのカットオフポイントは、時間間隔（１０、２０、３０分）によって０．５〜５．５と異なっていた。各プロトコルの有効性は、ＲＯＣ曲線により評価した。
【００３３】
統計解析：記述的分析において、絶対分布及び相対分布を質的変数に用いた。レジューム・インディケータ（ｒｅｓｕｍｅ  ｉｎｄｉｃａｔｏｒ）を量的変数に用いた。データの正規性は、シャピロ・ウィルク（Ｓｈａｐｉｒｏ−Ｗｉｌｋ）検定により確立された。これに基づき、スチューデントのｔ検定及びウィルコクソンの符号順位検定を応用して、独立したメジアン間の差異を確立した。独立性Ｘ2 検定を用いて、質的変数間の関連性を分析した。ｐ＜０．０５の値を、統計学的に有意とみなした。加えて、敏感度、特異度、陽性的中率、陰性的中率、妥当性指標（ｖａｌｉｄｉｔｙ  ｉｎｄｅｘ）、ヨーデン指標（Ｙｏｕｄｅｎ  ｉｎｄｅｘ）、陽性尤度比（ＲＶ＋）、陰性尤度比（ＲＶ−）を計算した。得られたデータの処理及び分析は、ＳＰＳＳ（サービス・ソリューションのための統計学的製品）バージョン１２．０及びＥＰＩＤＡＴＥバージョン３．０を用いて行った。
【００３４】
結果：調査において、７０人の無症候の個体には２４人の男性と４６人の女性が含まれていた。個体の平均年齢は、男性が３９．６３歳（ＳＤ±１２．５８）、女性が３４．３３（ＳＤ±１０．１７）であった（９５％信頼度）。男性と女性の平均年齢に有意な差異は見られなかった（スチューデントｔ検定＝１．９０５、ｐ＝０．０６１）。
【００３５】
基準プロトコルを用いると、４６人（６５．７％）がヘリコバクター・ピロリ菌について陽性であり、２４人（３４．３％）がヘリコバクター・ピロリ菌について陰性であった。性別では、１７人（７０．８％）の男性、２９人（６３％）の女性が、ヘリコバクター・ピロリ菌について陽性であった。男性と女性との間で統計学的に有意な差異は見られなかった（Ｘ2 ＝０．４２５、ｐ＝０．５１５）。プロトコルＩ及びＩＩについては、結果を表１に示す。
【００３６】
表１：13Ｃ標識尿素呼気検査。プロトコルＩ及びＩＩの異なるカットオフポイント、１０分、２０分、３０分での妥当性指標（Ｉｎｄｉｃｅ  ｄｅ  ｖａｌｉｄｅｚ）、ヨーデン指標（ｉｎｄｉｃｅ  ｄｅ  Ｙｏｕｄｅｎ）、ＲＶ＋及びＲＶ−。Ｌａｂｏｒａｔｏｒｉｏ  Ｃｌｉｎｉｃｏ  Ｈｅｍａｔｏｌｏｇｉｃｏ  Ｓ．Ａ．、メデリン、コロンビア、２００６
（* ≒0、**ф+ 、保菌率：６５．７１、分（Ｍｉｎｕｔｏ）、δＰ．Ｃ．値（Ｖａｌｏｒ  δ  Ｐ．Ｃ．）、プロトコル（Ｐｒｏｔｏｃｏｌｏ））
【００３７】
【表１】
2010513904.tif 000002
【００３８】
プロトコルＩについての最高性能カットオフポイントは、１０分の場合は２．０及び２．５δ（共に１００％）、２０分の場合は１．５、２．０、２．５δ（３つ全てについて１００％）、３０分の場合は１．５δ（１００％）と判明した。プロトコルＩＩについては、１０分の場合は２．０δ（９８．５７％）、２０分の場合は２．０δ（９８．５７％）、３０分の場合は２．５δ（９８．５７％）であった。ヨーデン指標による13Ｃ標識尿素呼気検査の効率性の評価は、プロトコルＩが、最高性能ポイントで完璧な診断試験であることを示す。有効性は、プロトコルＩ及びＩＩによりヘリコバクター・ピロリ菌に感染した個体が陽性であると分類される確率が高いことを示すＲＶ＋を参照することにより見て取れる。他方で、ＲＶ−は、プロトコルＩ及びＩＩがヘリコバクター・ピロリ菌に感染していない個体を陽性と分類する確率がゼロ（０）に近いことを示す。
【００３９】
表２は、１０分、２０分、３０分の場合の最高性能カットオフポイントにて、プロトコルＩでの診断用13Ｃ標識尿素呼気検査が１００％の敏感度を有することを示す。これとは対照的に、１０分、２０分、３０分の場合の最高性能カットオフポイントで、プロトコルＩＩでの診断用13Ｃ標識尿素呼気検査は９７．８３％の敏感度を有する。プロトコルＩ及びプロトコルＩＩの両方についての特異度は１００％であった。
【００４０】
信頼度９５％で、プロトコルＩとプロトコルＩＩとの間に統計学的に有意な差異は見られなかった。１０分の場合：Ｘ2 ＝０．９８５７、ｐ＝０．３２０８、２０分の場合：Ｘ2 ＝０．９６９９、ｐ＝０．３２４７、３０分の場合：Ｘ2 ＝０．９８５７、ｐ＝０．３２０８。１０分及び３０分での両方のプロトコルについての結果は、同様であった。
【００４１】
表２：13Ｃ標識尿素呼気検査。プロトコルＩ及びＩＩの異なるカットオフポイント、１０分、２０分、３０分での敏感度（Ｓｅｎｓｉｂｉｌｉｄａｄ）、特異度（Ｅｓｐｅｃｉｆｉｃｉｄａｄ）、陽性的中率（Ｖａｌｏｒ  Ｐｒｅｄｉｃｔｉｖｏ＋）及び陰性的中率（Ｖａｌｏｒ  Ｐｒｅｄｉｃｔｉｖｏ  −）。Ｌａｂｏｒａｔｏｒｉｏ  Ｃｌｉｎｉｃｏ  Ｈｅｍａｔｏｌｏｇｉｃｏ  Ｓ．Ａ．、メデリン、コロンビア、２００６
【００４２】
【表２】
2010513904.tif 000003
【００４３】
ＲＯＣ面積（グラフ１（図２））によると、プロトコルＩの場合の13Ｃ標識尿素呼気検査は、敏感度、特異度共に１に等しく、完璧な検査である。
【００４４】
表３及びグラフ２（図３）は、プロトコルＩ及びＩＩでヘリコバクター・ピロリ菌陽性及び陰性の個体についての１０分、２０分、３０分でのカットオフポイント値［δ13ＣＯ2 ］の特性分析を示す。
【００４５】
表３：プロトコルＩ及びＩＩでヘリコバクター・ピロリ菌陽性及び陰性の個体の１０分、２０分、３０分でのδ13ＣＯ2 の分布（Ｌａｂｏｒａｔｏｒｉｏ  Ｃｌｉｎｉｃｏ  Ｈｅｍａｔｏｌｏｇｉｃｏ  Ｓ．Ａ．、メデリン、２００６）。
（陽性（Ｐｏｓｉｔｉｖｏ）、陰性（Ｎｅｇａｔｉｖｏ）、平均（Ｍｅｄｉａ）、メジアン（Ｍｅｄｉａｎａ）、標準偏差（Ｄｅｓｖｉａｃｉｏｎ  Ｅｓｔａｎｄａｒ）、最小（Ｍｉｎｉｍｏ）、最大（Ｍａｘｉｍｏ）、下側四分位値（Ｃｕａｒｔｅｌ  ｉｎｆｅｒｉｏｒ）、上側四分位値（Ｃｕａｒｔｅｌ  Ｓｕｐｅｒｉｏｒ））
【００４６】
【表３】
2010513904.tif 000004
【００４７】
表３及びグラフ２（図３）は、プロトコルＩでの13Ｃ標識尿素呼気検査では、ヘリコバクター・ピロリ菌に感染した個体の１０分でのδ13ＣＯ2 メジアンが１３．６４であったのに対し、プロトコルＩＩの場合のδ13ＣＯ2 メジアンは１２．０２であったことも示す。これら２つの値に統計学的に有意な差異は見られなかった（ウィルコクソン、ｐ＝０．１２１）。これとは対照的に、２０分及び３０分の場合、統計学的に有意な差異が見られた（ウィルコクソン、それぞれｐ＝０．００６、ｐ＝０．００１）。
【００４８】
加えて、表３及びグラフ２（図３）は、プロトコルＩでの13Ｃ標識尿素呼気検査の場合、感染していない個体の１０分でのδ13ＣＯ2 メジアンは０．５１であったのに対し、プロトコルＩＩの場合のδ13ＣＯ2 メジアンは０．３２であったことを示す。１０分、２０分、３０分の場合でこれらの値に統計学的に有意な差異は見られなかった（ウィルコクソン、それぞれｐ＝０．７１０、ｐ＝０．４４０、ｐ＝０．３４６）。
【００４９】
考察：これらの結果は、13Ｃ標識尿素呼気検査の一環としてのクエン酸の使用が不要である可能性を示唆している。プロトコルＩの敏感度及び特異度は、被験者に十分な量の水を与える新規で独立した工程が、カプセルや内視鏡による胃内への滴注に代わる、残留13Ｃ標識尿素と口腔内に定着している可能性のある検査には関係のないウレアーゼ産生細菌との接触を回避するのに適当な代替法であることも示唆している。１０分でのプロトコルＩの場合の結果は、被験者に十分な量の水を与える新規で独立した工程により、胃腔内のヘリコバクター・ピロリ菌のウレアーゼによる13Ｃ標識尿素の迅速な分解にとって最適な状態が得られることも示唆している。この調査の結果は、表２に示されるように、敏感度、特異度、陽性的中率、陰性的中率に関して最適な状態の検査にとって、用量５０ｍｇの13Ｃ標識尿素が十分であることも示唆している。
【００５０】
13Ｃ標識尿素呼気検査からクエン酸を排除することにより、より苦痛の少ない検査となるが、これは13Ｃ標識尿素の水溶液が無色、無臭、無味、無害だからである。
【００５１】
結論として、プロトコルＩにより、苦痛の少ない、実行がより簡単で、より短時間の13Ｃ標識尿素呼気検査が得られ、この呼気検査において13Ｃ標識尿素の量は減少している。プロトコルＩの検査のための試料採取を遠隔地で行い、採取した試料を郵便で送付することが可能であるが、これは採取した試料を、個体の呼気における13Ｃ含有量に悪影響を及ぼすことなく何ヶ月にも亘って室温で保存可能だからである。プロトコルＩにより、ヘリコバクター・ピロリ菌の疫学的調査及び大掛かりな撲滅のために大量に用いることが可能な検査が得られる。
【図１】
2010513904.tif 000005
【図２】
2010513904.tif 000006
【図３】
2010513904.tif 000007
2010513904.tif 000008
【国際調査報告】
2010513904.tif 000009
2010513904.tif 000010